(57)【要約】【課題】第１トレイ及び第２トレイの相対的位置決めが正確にでき、且つトレイを引き出すときの力を軽減できると共に運搬時等にトレイが飛び出すのを防止できるタンデム型給紙装置及びその給紙装置を備える画像形成装置を提供すること。【解決手段】タンデム型給紙装置２５において、第１トレイ２０は第１付勢手段６２により引き出し方向奥側に向けて付勢してあると共に位置決め部材７１に引き出し方向前側から当接部７０が当接し、第２トレイ２１は第２付勢手段７３が引き出し方向前側に付勢して係止部材７６が位置決め部材７１に引き出し方向奥側から係止することにより、第１トレイ２０と第２トレイ２１とを位置決めしている。【選択図】図１
2010149945.tif 000002
【特許請求の範囲】
【請求項１】
用紙を積載する第１トレイと、第１トレイから用紙を一枚ずつ給紙する給紙手段と、第１トレイに対し水平且つ並列に配置され用紙を積載する第２トレイと、第２トレイの積載用紙を第１トレイに移送する移送手段とを備えるタンデム型給紙装置において、
第１トレイをトレイの引き出し方向奥側に付勢する第１付勢手段と、筺体に固定した位置決め部材と、第１トレイに設けて位置決め部材に引き出し方向前側から当接する当接部と、第２トレイを引き出し方向前側に付勢する第２付勢手段と、第２トレイの引き出し操作部と、第２トレイの引き出し操作部に連動して位置決め部材に係脱自在に設けた係止部材とを備え、第１トレイは第１付勢手段により引き出し方向奥側に向けて付勢してあると共に位置決め部材に引き出し方向前側から当接部が当接し、第２トレイは第２付勢手段が引き出し方向前側に付勢して係止部材が位置決め部材に引き出し方向奥側から係止することにより、第１トレイと第２トレイとを位置決めしていることを特徴とするタンデム型給紙装置。
【請求項２】
第１付勢手段は第１トレイの側面に突設し引き出し方向前側に傾斜面を向けた斜面部と、第１トレイの前記側面を移動するスライダーと、スライダーを第１トレイの前記側面に向けて付勢する付勢部材とを備えることを特徴とする請求項１に記載のタンデム型給紙装置。
【請求項３】
位置決め部材は第１トレイの当接部が当接する突設片と、第１トレイの係止部材が係止する係止穴とを備え、係止部材は第２トレイの引き出し操作部の操作に連動して係止穴に係脱することを特徴とする請求項１又は２に記載のタンデム型給紙装置。
【請求項４】
用紙を積載する第１トレイと、第１トレイから用紙を一枚ずつ給紙する給紙手段と、第１トレイに対し水平且つ並列に配置され用紙を積載する第２トレイと、第２トレイの積載用紙を第１トレイに移送する移送手段とを備えるタンデム型給紙装置において、
第１トレイをトレイの引き出し方向前側に付勢する第１付勢手段と、筺体に固定した位置決め部材と、第１トレイの引き出し操作部と、第１トレイの引き出し操作部に連動して位置決め部材に係脱自在に設けた第１係止部材と、第２トレイを引き出し方向前側に付勢する第２付勢手段と、第２トレイの引き出し操作部と、第２トレイの引き出し操作部に連動して位置決め部材に係脱自在に設けた係止部材とを備え、第１トレイ及び第２トレイを、各々引き出し方向前側に付勢して各係止部材が位置決め部材に引き出し方向奥側から係止することにより、第１トレイと第２トレイとを位置決めしていることを特徴とするタンデム型給紙装置。
【請求項５】
位置決め部材は、位置調整ネジを有し、第１トレイと第２トレイとの下に跨って設けてあり且つ引き出し方向に沿って移動可能に取り付けてあり、引き出し方向前端に位置調節ネジの頭が設けてあることを特徴とする請求項１〜４の何れか一項に記載のタンデム型給紙装置。
【請求項６】
請求項１〜５の何れか一項に記載のタンデム型給紙装置を備え、タンデム型給紙装置から供給されたシートに画像を形成することを特徴とする画像形成装置。
【発明の詳細な説明】
【技術分野】
【０００１】
本発明は、第２トレイに積載された用紙を第１トレイに移動するタンデム型給紙装置及びそのタンデム型給紙装置を備える複写機、プリンタ、ファクシミリ等の画像形成装置に関する。
【背景技術】
【０００２】
特許文献１には、用紙を積載する第１トレイと、第１トレイから用紙を一枚ずつ給紙する給紙手段と、第１トレイに対し水平且つ並列に配置され用紙を積載する第２トレイと、第２トレイの積載用紙を第１トレイに移送する移送手段とを備えるタンデム型給紙装置が開示されている。
【０００３】
この種のタンデム型給紙装置においては、第１トレイと第２トレイの引き出し方向における相対的位置を正確に位置決めする必要がある。
【０００４】
これに対して、特許文献１の技術では、第１トレイを引き出し方向の奥側に押し込んで位置決め部材に突き当てて位置決めし、第２トレイは奥側に押し込んで第１トレイに突き当てた後にロック機構によりロックすることにより位置決めしている。
【０００５】
【特許文献１】特許第２８３１４５８号公報
【発明の開示】
【発明が解決しようとする課題】
【０００６】
しかし、突き当てやロックによる位置決めだけでは、遊び等に因るずれが生じ易く正確な位置決めがし難いという問題がある。
【０００７】
更に、特許文献１では、収納状態にある第１トレイ及び第２トレイには引き込み方向の力が作用しているので、引き出すときに大きな力が必要になるという問題がある。また、収納状態にある第１トレイ及び第２トレイは装置本体に対して押し当てているだけであるから、運搬時等にトレイが飛び出してしまうという問題がある。
【０００８】
本発明は、上記事情に鑑みてなされたものであり、第１トレイ及び第２トレイの相対的位置決めが正確にでき、且つトレイを引き出すときの力を軽減できると共に運搬時等にトレイが飛び出すのを防止できるタンデム型給紙装置及びその給紙装置を備える画像形成装置の提供を目的としている。
【課題を解決するための手段】
【０００９】
第１の発明は、用紙を積載する第１トレイと、第１トレイから用紙を一枚ずつ給紙する給紙手段と、第１トレイに対し水平且つ並列に配置され用紙を積載する第２トレイと、第２トレイの積載用紙を第１トレイに移送する移送手段とを備えるタンデム型給紙装置において、第１トレイをトレイの引き出し方向奥側に付勢する第１付勢手段と、筺体に固定した位置決め部材と、第１トレイに設けて位置決め部材に引き出し方向前側から当接する当接部と、第２トレイを引き出し方向前側に付勢する第２付勢手段と、第２トレイの引き出し操作部と、第２トレイの引き出し操作部に連動して位置決め部材に係脱自在に設けた係止部材とを備え、第１トレイは第１付勢手段により引き出し方向奥側に向けて付勢してあると共に位置決め部材に引き出し方向前側から当接部が当接し、第２トレイは第２付勢手段が引き出し方向前側に付勢して係止部材が位置決め部材に引き出し方向奥側から係止することにより、第１トレイと第２トレイとを位置決めしていることを特徴とする。
【００１０】
第２の発明は、用紙を積載する第１トレイと、第１トレイから用紙を一枚ずつ給紙する給紙手段と、第１トレイに対し水平且つ並列に配置され用紙を積載する第２トレイと、第２トレイの積載用紙を第１トレイに移送する移送手段とを備えるタンデム型給紙装置において、第１トレイをトレイの引き出し方向前側に付勢する第１付勢手段と、筺体に固定した位置決め部材と、第１トレイの引き出し操作部と、第１トレイの引き出し操作部に連動して位置決め部材に係脱自在に設けた第１係止部材と、第２トレイを引き出し方向前側に付勢する第２付勢手段と、第２トレイの引き出し操作部と、第２トレイの引き出し操作部に連動して位置決め部材に係脱自在に設けた係止部材とを備え、第１トレイ及び第２トレイを、各々引き出し方向前側に付勢して各係止部材が位置決め部材に引き出し方向奥側から係止することにより、第１トレイと第２トレイとを位置決めしていることを特徴とする。
【発明の効果】
【００１１】
第１及び第２の発明によれば、第１トレイ及び第２トレイは各々付勢手段により付勢して位置決め部材に当接させているので、遊び等による位置ずれを防止でき、正確な位置決めを行うことができる。
【００１２】
第１トレイと第２トレイとは共通の位置決め部材で位置決めしているので、第１トレイと第２トレイとの相対的位置決めが容易にできる。
【００１３】
位置決め部材は、第１トレイの位置決めと第２トレイの位置決めとに兼用しているから、部品点数を少なくできると共に位置調整が必要な場合には一つの位置決め部材の取り付け位置を調整するだけであるから、位置調整が容易にできる。
【００１４】
第１トレイ及び第２トレイは各々位置決め部材に係止しているので、運搬時等に装置本体からトレイが飛び出すのを防止できる。
【００１５】
少なくとも一方のトレイは、付勢手段により引き出し方向前側に付勢しているので、そのトレイを引き出すときの引き出し力を軽減することができる。
【発明を実施するための最良の形態】
【００１６】
以下に、本発明に係る実施の形態を添付図面を参照して説明するが、まず図１〜図４を参照して本発明の第１実施の形態について説明する。図１は第１実施の形態に係るタンデム型給紙装置の概略的構成を示す横断面図であり、（Ａ）は第１トレイと第２トレイとの収納状態を示し、（Ｂ）は第２トレイを引き出した状態を示す図であり、図２は第１実施の形態に係るタンデム型給紙装置の平面図であり、図３は位置決め部材の取り付け状態を示す斜視図であり、図４は第１実施の形態に係る画像形成装置の概略的構成を示す縦断面図である。
【００１７】
図４に示すように、本実施の形態に係る画像形成装置１は、画像形成本体２と、画像形成本体２の下に設けた給紙装置３とから構成されており、給紙装置３から給紙された用紙に画像形成本体で画像を形成して、排紙トレイ５に排出するものである。
【００１８】
画像形成本体２は、複写するべき原稿を載置するコンタクトガラス１０と、コンタクトガラス１０載置された原稿を照射して感光体１２を露光する光学ユニット１１とを備えている。感光体１２の周囲には、帯電器１３、現像器１４、転写・分離器１５が配置されており、帯電器１３と転写・分離器１５との間には、感光体に残った現像剤を除去するクリーニング器１６が設けられている。給紙装置３から給紙された用紙は、レジストローラ対１８から転写分離器１５に搬送されて、現像剤像が転写された後に定着部１７で現像剤像を定着した後、排紙トレイ５に排出される。尚、レジストローラ対１８には、給紙装置３から搬送路２２を通って供給される用紙又は手差し部２３から供給される用紙が搬送されるようになっている。
【００１９】
給紙装置３は、第１トレイ２０及び第２トレイ２１をと収納するタンデム型給紙部２５と、第３トレイ１９を収納する給紙部（モノ給紙部）２６とを備えている。タンデム給紙部２５では、第１トレイ２０に積載された用紙Ｐ１が無くなった後に移送手段２７（後述する）により第２トレイ２１に積載された用紙Ｐ２を第１トレイ２０に移動するようになっている。第２トレイ２１は第１トレイ２０に対し水平且つ並列に配置されている。尚、図１において、符号Ｌ１〜Ｌ５で示すのはそれぞれ各１トレイの引き出し及び装着を案内する案内レールである。
【００２０】
以下に、本発明のタンデム型給紙部（タンデム型給紙装置）２５について詳細に説明する。
【００２１】
第１トレイ２０において、積載された転写紙Ｐ１は、ピックアップローラ３２によって給紙され、分離ローラ対３３により一枚ずつ分離されて搬送される。ピックアップローラ３２による給紙動作時には、図２に示す正逆回転モータ５４の回転によってセクタギア５３ａ、加圧軸５３を介して加圧板５２を回転し、底板３７で用紙Ｐ１を上方に押圧している。
【００２２】
次に、第２トレイ２１から第１トレイ２０への転写紙Ｐ２の移動をする移送手段２７について説明する。正逆回転モータ４８の回転によって、プーリ４４〜４７に支持・駆動されるワイヤ４３により移動バックフェンス４１を移動することによって行われる。即ち、移動バックフェンス４１の押圧部４１ａで用紙Ｐ２を押圧し、第１トレイ２０の用紙Ｐ１の位置へ移送する。押圧部４１ａは、底板４０の下方でワイヤ４３と結合してあり、転写紙Ｐ２をＰ１の位置まで移送可能になっている。尚、図２において符号５１は底板４０上の用紙Ｐの有無を検知する検知センサである。
【００２３】
図１（Ａ）に示すように、タンデム型給紙部２５において、第１トレイ２０及び第２トレイを収納する収納部６１の用紙搬送側壁６３ａには、第１トレイ２０側に向けて付勢する第１付勢部材６５が固定されており、第１付勢部材６５の先端には押し付けコロ（スライダー）６７が取付けてあり、第１付勢部材６５は押し付けコロ６７を第１トレイ２０側に向けて付勢している。
【００２４】
第１トレイ２０には、押し付けコロ６７側に突設する山形の斜面部６９を備えている。斜面部６９は傾斜面が第１トレイ２０の引き出し方向前側を向いた第１斜面６９ａと奥側を向いた第２斜面６９ｂとから構成されている。
【００２５】
第１付勢部材６５により付勢された押し付けコロ６７が第１傾斜面６９ａを押し付けることにより、第１トレイ２０を引き出し方向奥側に向けて付勢する第１付勢手段６２を構成している。
【００２６】
一方、収納部６１の底面には、位置決め部材７１が固定されており、第１トレイ２０には、位置決め部材７１にトレイの引き出し方向前側から当接する当接部７０が設けてあり、第１付勢手段６２により第１トレイ２０を奥側に付勢した状態で、位置決め部材７１に当接部７０を当接させて位置決めしている。
【００２７】
具体的には、図３に示すように、位置決め部材７１には、上方に向けて切り起こした突設片７１ａが設けてあり、第１トレイ２０の底面には下方に向けて突設した当接部７０が突設片７１ａに前側から当接して位置決め部材７１に対して第１トレイ２０を位置決めしている。
【００２８】
尚、この位置決め部材７１は図３に示すように、第１トレイ２０と第２トレイ２１の底に跨って配置されている。
【００２９】
次に、第２トレイ２１の位置決めについて説明する。図１に示すように、収納部６１には、第２トレイ２１が収納される位置の奥壁６３ｂにバネ（第２付勢手段）７３の一端７３ａが固定してあり、バネ７３の他端７３ｂが第２トレイ２１を引き出し方向前側に付勢している。第２トレイ２１の前側に設けた取手（引き出し操作部）７４にはリンク７５を介して、ロック部材７６が回動自在に設けてあり、第２トレイ２１がバネ７３により前側に付勢された状態で、位置決め部材７１にロック部材７６が奥側から係止するようになっている。尚、ロック部材７６は取手７４の操作により位置決め部材７１との係合が解除される。
【００３０】
具体的には、図３に示すように、位置決め部材７１には係止穴７７が形成されており、ロック部材７６の先端７６ａが係止穴７７に上から係止するようになっている。位置決め部材７１は板状であり、筺体に設けたステー７８に固定されているが、固定ネジ７９ａ及び段ネジ７９ｂを取付ける部分には前後方向（トレイの引き出し方向）に長い長孔が形成されており、位置調整時における位置決め部材７１の移動を案内している。調節ネジ８０は、ネジの頭８０ａを前側に向けて取付けてあり、ネジ部８０ｂがステー７８に螺合してある。ネジの頭８０ａは位置決め部材７１に対して空回り可能に把持されている。この構成により、調整ネジ８０を一方向に回すと位置決め部材７１が前進し、他方向に回すと後退（奥側に移動）する。
【００３１】
尚、画像形成装置１の出荷時には一方の固定ネジ７９aは固定用の丸穴８１に取付けることにより、位置決め部材７１のがたつきを防止する。
【００３２】
次に、本実施の形態に係るタンデム型給紙部（タンデム型給紙装置）の作用効果を説明する。
【００３３】
図１（Ａ）に示すように、第１トレイ２０及び第２トレイ２１が収納状態にあるときには、第１トレイ２０は、第１付勢手段６２により引き出し方向奥側に付勢された状態で前側から当接部７０が位置決め部材７１に当接して位置決めされる。尚、第１トレイ２０を収納するときには、押し付けコロ６７が第１付勢部材６５の付勢力に抗して斜面部の第２斜面６９ｂを乗り越えるように押し込んで装着する。
【００３４】
第２トレイ２１は、バネ（第２付勢手段）７３の付勢力に抗して押し込むと、ロック部材７６が位置決め部材７１に奥側から係止することにより、位置決めされる。第２トレイ２１はバネ７３により引き出し方向前側に付勢された状態で奥側からロック部材７６が位置決め部材７１に係止する。
【００３５】
第１トレイ２０を引き出す場合には、第１トレイ２０を前側に引き、押し付けコロ６７が斜面部６９の第１傾斜面６９aを越えるようにして引き出す。
【００３６】
第２トレイ２１を引き出す場合には、図１（Ｂ）に示すように、取手（操作部）７４を引くとリンク７５を介してロック部材７６が回動して位置決め部材７１から外れるので、取手７４を引いて引き出すことができる。
【００３７】
本実施の形態によれば、第１トレイ２０は、第１付勢手段６２により奥側に付勢して当接部７０を側位置決め部材７１に前側から当接させているので、遊び等による位置ずれを防止でき、正確な位置決めを行うことができる。同様に、第２トレイ２１は第２付勢手段６２により前側に付勢してロック部材７６を位置決め部材７１に奥側から係止させているので、遊び等による位置ずれを防止でき、正確な位置決めを行うことができる。
【００３８】
第１トレイ２０と第２トレイ２１とは共通の位置決め部材７１で位置決めしているので、第１トレイ２０と第２トレイ２１との相対的位置決めが容易に且つ確実にできる。
【００３９】
第１トレイ２０は第１付勢部材手段６２により収納方向奥側に向けて付勢してあり、第２トレイ２１は位置決め部材７１に奥側から係止しているので、第１トレイ２０及び第２トレイ２１が運搬時等に装置本体から飛び出すのを防止できる。
【００４０】
第２トレイ２１は、第２付勢手段７３により引き出し方向前側に付勢しているので、第２トレイ２１を引き出すときの引き出し力を軽減することができる。
【００４１】
位置決め部材７１は、第１トレイ２０の位置決めと第２トレイ２１の位置決めとに兼用しているから、部品点数を少なくできると共に位置調整が必要な場合には一つの位置決め部材７１の取り付け位置を調整するだけであるから、位置調整が容易にできる。
【００４２】
第１トレイ２０と第２トレイ２１との収納状態において、位置決め部材７１は、第１トレイ２０により奥側に向けて付勢され、第２トレイ２１により前側に向けて付勢されているから、位置決め部材７１には奥側と前側との力が同時に作用して相殺できるから、位置決め部材７１に片寄った力が作用するのを防止でき、位置決め部材７１を安定に保持することができる。
【００４３】
位置調整部材７１の位置調整を行う調整ネジの頭８０ａは、収納部６１の前側に露出しているので、収納部６１に第１及び第２トレイ２０、２１を装着したままの状態で位置調整ができ、位置調整が容易に且つ正確にできる。
【００４４】
第１付勢手段６２は第１トレイ２０の側面に突設し引き出し方向前側に傾斜面６９ａを向けた斜面部６９と、第１トレイ２０の前記側面を移動する押し付けコロ（スライダー）６７と、付勢部材６５とを備え、付勢部材６５で押し付けコロ６７を第１トレイ２０の前記側面に向けて付勢しているので、簡易な構成で第１トレイ２０を引き出し方向奥側に向けて付勢することができる。
【００４５】
ロック部材７６は位置決め部材７１に設けた係止穴７７に係脱する構成としているので、位置決め部材７１には穴７７を設けるだけであるから製造が容易である。
【００４６】
以下に、本発明の他の実施の形態を説明するが、以下に説明する実施の形態において、上述した実施の形態と同一の部分には同一の符号を付することにより、その部分の詳細な説明を省略し、以下の説明では上述した実施の形態と主に異なる点を説明する。
【００４７】
図５を参照して第２実施の形態を説明する。図５は第２実施の形態に係るタンデム型給紙装置の概略的構成を示す横断面図であり、（Ａ）は第１トレイと第２トレイとの収納状態を示し、（Ｂ）は第２トレイを引き出した状態を示す図である。
【００４８】
この第２実施の形態では、奥壁６３ｂに第１トレイ２０をトレイの引き出し方向前側に向けて付勢するバネ（第１付勢手段）７３が設けてあり、第１トレイ２０を前側に向けて付勢している。そして、位置決め部材７１に奥側から係止するロック部材７６を設けて、第１トレイ２０を位置決め部材７１に係止している。第２トレイ２１の位置決め構造は、第１実施の形態と同様である。
【００４９】
この第２実施の形態によれば、上述した第１実施の形態と同様の作用効果を奏することができる。
【００５０】
更に、第２実施の形態によれば、第１トレイ２０及び第２トレイ２１が、第２付勢手段７３により引き出し方向（前側）に向けて付勢されているから、第１トレイ２０及び第２トレイ２１の両方の引き出し力を軽減できる。
【００５１】
本発明は上述した実施の形態に限定されず、本発明の要旨を逸脱しない範囲において種々変形可能である。
【００５２】
例えば、位置決め部材７１の構成は、上述した実施の形態の形状に限らず、例えば、第２トレイ２１のロック部材７６を係止する係止部は係止穴７７にすることに限らず、突状片としても良いし、第１トレイ２０に係止する突設片７１ａは第１トレイ２０の底側に設けることに限らず、第１トレイ２０の横に設けて第１トレイ２０の側部に当接部７０を設けて互いに当接する構成としても良い。
【００５３】
スライダー６７は、コロに限らず、低摩擦で側面を移動するものであれば良く、摺動部材であってもよい。
【図面の簡単な説明】
【００５４】
【図１】第１実施の形態に係るタンデム型給紙装置の概略的構成を示す横断面図であり、（Ａ）は第１トレイと第２トレイとの収納状態を示し、（Ｂ）は第２トレイを引き出した状態を示す図である。
【図２】第１実施の形態に係るタンデム型給紙装置の平面図である。
【図３】位置決め部材の取り付け状態を示す斜視図である。
【図４】第１実施の形態に係る画像形成装置の概略的構成を示す縦断面図である。
【図５】第２実施の形態に係るタンデム型給紙装置の概略的構成を示す横断面図であり、（Ａ）は第１トレイと第２トレイとの収納状態を示し、（Ｂ）は第２トレイを引き出した状態を示す図である。
【符号の説明】
【００５５】
１      画像形成装置
２０    第１トレイ
２１    第２トレイ
２５    タンデム型給紙部
２７    移送手段
６２    第１付勢手段
６５    第１付勢部材
６７    押し付けコロ（スライダー）
６９    斜面部
７１    位置決め部材
７１ａ  突設片
７２    バネ（第２付勢手段）
７４    取手（引き出し操作部）
７６    ロック部材（係止部材）
７７    係止穴
【図１】
2010149945.tif 000003
【図２】
2010149945.tif 000004
【図３】
2010149945.tif 000005
【図４】
2010149945.tif 000006
【図５】
2010149945.tif 000007